(57)【要約】【課題】ロースター庫内の適切な温度と自然な空気の流れを安定に保ち、ロースターの使い勝手を向上すること。【解決手段】弾性体２３を連結部材２２の加熱庫１８側に設け、弾性体２３により、レール開口部２１を閉塞し、冷却風がレール開口部２１から吹き出し、加熱庫１８内に流入することを抑制する構成とした。これにより、ロースター部１６に、受け皿をスムーズに出し引きできるレール２０を加熱庫１８の外に備えた構成において、ロースターの加熱庫１８内が冷却風の流入によって冷やされることなく、適切な温度に保たれると同時に、上昇気流による自然な空気の流れを確保することができ、ロースターの使い勝手が向上する。【選択図】図１
2010220808.tif 000002
【特許請求の範囲】
【請求項１】
本体を構成する外郭と、前記本体の上面に設けたトッププレートと、前記トッププレート上に載置した第１の被加熱物を加熱する加熱手段と、前記加熱手段の出力を制御する出力制御部と、前記加熱手段および前記出力制御部へ冷却風を供給する冷却装置と、前記本体内に設けたロースター部とを備え、前記ロースター部は、前記本体の前面に開口部を有し内部の第２の被加熱物を加熱する加熱庫と、前記開口部を開閉するためのドアと、前記加熱庫の外に設けた摺動機能を有するレールと、前記レールが挿入される前記加熱庫の前壁面に設けられたレール開口部と、前記レールの先端を相互に連結する連結部材とを備え、弾性体を前記連結部の前記加熱庫側に設け、前記弾性体により、前記レール開口部を閉塞し、前記冷却風が前記レール開口部から吹き出し、前記冷却風が前記加熱庫内に流入することを抑制する構成とした加熱調理器。
【請求項２】
ドアには、開口部が閉められたとき加熱庫の前壁面に当接するパッキンを有し、前記パッキンより高さが低い弾性体を連結部材の前記加熱庫側に設ける構成とした請求項１に記載の加熱調理器。
【請求項３】
弾性体に突起部を、連結部材に穴を設け、前記突起部と前記穴が嵌合する構成とした請求項１または２に記載の加熱調理器。
【請求項４】
本体を構成する外郭と、前記本体の上面に設けたトッププレートと、前記トッププレート上に載置した第１の被加熱物を加熱する加熱手段と、前記加熱手段の出力を制御する出力制御部と、前記加熱手段および前記出力制御部へ冷却風を供給する冷却装置と、前記本体内に設けたロースター部とを備え、前記ロースター部は、前記本体の前面に開口部を有し内部の第２の被加熱物を加熱する加熱庫と、前記開口部を開閉するためのドアと、前記加熱庫の外に設けた摺動機能を有するレールと、前記レールが挿入される前記加熱庫の前壁面に設けられたレール開口部と、前記レールの先端を相互に連結する連結部材とを備え、弾性体を前記加熱庫の前壁面の前記レール開口部周辺に設け、前記弾性体により、前記レール開口部を閉塞し、前記冷却風が前記レール開口部から吹き出し、前記冷却風が前記加熱庫内に流入することを抑制する構成とした加熱調理器。
【請求項５】
弾性体を、冷却装置に近い側だけに設けた請求項１〜４のいずれか１項に記載の加熱調理器。
【請求項６】
開口部がドアにより閉められたとき加熱庫の前壁面には、ドアと当接するパッキンを有し、前記パッキンと弾性体とを一体とする構成とした請求項４に記載の加熱調理器。
【発明の詳細な説明】
【技術分野】
【０００１】
本発明は、一般家庭で使用するロースター部を有する誘導加熱調理器などの加熱調理器に関するものである。
【背景技術】
【０００２】
従来、この種の加熱調理器としては、加熱コイルや出力制御部の温度上昇を抑止するとともに、ロースター部の冷却効率を向上させる誘導加熱調理器が知られている（例えば、特許文献１参照）。
【０００３】
また、この種の加熱調理器は、ロースター部には、受け皿をスムーズに出し引きできるレールと、加熱庫内にある受皿と連結したドアを備えた構成となっている（例えば、特許文献２参照）。
【特許文献１】特開２００２−１９０３７５号公報
【特許文献２】特開２００６−３２９５４５号公報
【発明の開示】
【発明が解決しようとする課題】
【０００４】
ところで、近年、誘導加熱調理器の普及に伴い、それを用いた調理範囲が拡大するにつれて、現在の火力では物足らずさらに大きな出力、例えば、２０％の程度出力を増加した誘導加熱調理器が要望されるようになってきた。出力を増加すると、増加した分、ロースター部周辺の加熱コイルや出力制御部などの温度が上昇し、許容温度を超える危険性があるため、冷却装置からの冷却風量を増大させる必要がある。
【０００５】
しかしながら、前記従来の構成では、冷却風量を増大させると、本体内の圧力が増大し、ロースター部を構成するレール開口部から冷却風が吹き出し、特にドアを閉じている際に、ロースター庫内に冷却風が流入しやすくなる。
【０００６】
このため、前記従来の構成では、ロースター庫内が冷やされ、調理時にロースター庫内に自然な空気の流れが形成されにくくなり、ロースターの調理性能が低下するといった課題を有していた。
【０００７】
本発明は、前記従来の課題を解決するもので、ロースター部に、受け皿をスムーズに出し引きできるレール部を加熱庫の外に備えた構成において、ロースター庫内への冷却風の流入を抑制することにより、ロースター庫内の適切な温度と自然な空気の流れを安定に保ち、ロースターの使い勝手を向上した加熱調理器を提供することを目的とする。
【課題を解決するための手段】
【０００８】
前記従来の課題を解決するために、本発明の加熱調理器は、弾性体を前記連結部の前記加熱庫側に設け、前記弾性体により、前記レール開口部を閉塞し、冷却風が前記レール開口部から吹き出し、前記加熱庫内に流入することを抑制する構成としたものである。
【０００９】
これによって、ロースター部に、受け皿をスムーズに出し引きできるレールを加熱庫の外に備えた構成において、ロースター庫内が冷却風の流入によって冷やされることなく、適切な温度に保たれると同時に、上昇気流による自然な空気の流れを確保することができ、ロースターの使い勝手を向上した加熱調理器を提供できる。
【発明の効果】
【００１０】
本発明の加熱調理器は、ロースター部に、受け皿をスムーズに出し引きできるレールを加熱庫の外に備えた構成において、ロースター庫内が冷却風の流入によって冷やされることなく、適切な温度に保たれると同時に、上昇気流による自然な空気の流れを確保することができ、ロースターの使い勝手を向上することができる。
【発明を実施するための最良の形態】
【００１１】
第１の発明は、本体を構成する外郭と、前記本体の上面に設けたトッププレートと、前記トッププレート上に載置した第１の被加熱物を加熱する加熱手段と、前記加熱手段の出力を制御する出力制御部と、前記加熱手段および前記出力制御部へ冷却風を供給する冷却装置と、前記本体内に設けたロースター部とを備え、前記ロースター部は、前記本体の前面に開口部を有し内部の第２の被加熱物を加熱する加熱庫と、前記開口部を開閉するためのドアと、前記加熱庫の外に設けた摺動機能を有するレールと、前記レールが挿入される前記加熱庫の前壁面に設けられたレール開口部と、前記レールの先端を相互に連結する連結部材とを備え、弾性体を前記連結部材の前記加熱庫側に設け、前記弾性体により、前記レール開口部を閉塞し、前記冷却風が前記レール開口部から吹き出し、前記加熱庫内に流入することを抑制する構成とすることにより、ロースター部に、受け皿をスムーズに出し引きできるレールを加熱庫の外に備えた構成において、ロースター庫内が冷却風の流入によって冷やされることなく、適切な温度に保たれると同時に、上昇気流による自然な空気の流れを確保することができ、ロースターの使い勝手が向上する。また、開口部を開閉するとき、連結部材と、加熱庫のレール開口部周辺の前壁面との衝突による衝撃を抑制する構成としたことにより、衝突による部品の劣化を抑制できるとともに、衝突の際に発生する音の大きさを抑制することができる。
【００１２】
第２の発明は、特に、第１の発明において、ドアを、開口部が閉められたとき加熱庫の前壁面に当接するパッキンを有し、前記パッキンより高さが低い弾性体を連結部の加熱庫側に設ける構成とすることにより、本体前面からロースター庫内に空気が流入することを抑制することができ、ロースター庫内が冷却風、本体外側の空気の流入によって冷やされることなく、適切な温度に保たれると同時に、上昇気流による自然な空気の流れを確保することができ、ロースターの使い勝手が更に向上する。
【００１３】
第３の発明は、特に、第１または２の発明において、弾性体に突起部を、連結部材に穴を設け、前記突起部と前記穴が嵌合する構成とすることにより、弾性体を連結部材の加熱庫側に設ける際、弾性体の位置を定めることができる。
【００１４】
第４の発明は、本体を構成する外郭と、前記本体の上面に設けたトッププレートと、前記トッププレート上に載置した第１の被加熱物を加熱する加熱手段と、前記加熱手段の出力を制御する出力制御部と、前記加熱手段および前記出力制御部へ冷却風を供給する冷却装置と、前記本体内に設けたロースター部とを備え、前記ロースター部は、前記本体の前面に開口部を有し内部の第２の被加熱物を加熱する加熱庫と、前記開口部を開閉するためのドアと、前記加熱庫の外に設けた摺動機能を有するレールと、前記レールが挿入される前記加熱庫の前壁面に設けられたレール開口部と、前記レールの先端を相互に連結する連結部材とを備え、弾性体を前記加熱庫の前壁面の前記レール開口部周辺に設け、前記弾性体により、前記レール開口部を閉塞し、前記冷却風が前記レール開口部から吹き出し、前記加熱庫内に流入することを抑制する構成とすることにより、ロースター部に、受け皿をスムーズに出し引きできるレールを加熱庫の外に備えた構成において、ロースター庫内が冷却風の流入によって冷やされることなく、適切な温度に保たれると同時に、上昇気流による自然な空気の流れを確保することができ、ロースターの使い勝手が向上する。
【００１５】
第５の発明は、特に、第１〜４のいずれか１つの発明において、弾性体を、冷却装置に近い側だけに設けた構成とすることにより、ロースターへの冷却風の入り込みを抑制する
構成の簡素化を図ることができる。
【００１６】
第６の発明は、特に、第４の発明において、開口部がドアにより閉められたとき加熱庫の前壁面には、ドアと当接するパッキンを有し、パッキンと弾性体を一体とする構成とすることで、ロースターへの冷却風、本体外側の空気の入り込みを抑制する構成の簡素化を図ることができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における加熱調理器として、誘導加熱調理器を例示している。
【００１９】
図１に示すように、本体には、本体を構成する外郭１１と、本体の上面に設けたセラミックのトッププレート１２と、トッププレート１２上に載置した被加熱物を加熱する加熱コイルよりなる加熱手段１３と、加熱手段１３の出力を制御する出力制御部１４と、加熱手段１３および出力制御部１４へ冷却風を供給するファン構成の冷却装置１５と、本体内に設けたロースター部１６が設けられている。
【００２０】
ロースター部１６には、本体の前面に開口部１７を有し内部の被加熱物を加熱する加熱庫１８と、開口部１７を開閉するためのドア１９が設けられている。加熱庫１８の外側に摺動機能を有する一対のレール２０を有し、レール２０を摺動するために、加熱庫１８の前壁面にレール開口部２１が設けられており、レール２０の一対の左右の先端は連結部材２２により相互に連結されている。
【００２１】
連結部材２２の加熱庫側に弾性体２３を設け、弾性体２３により、レール開口部２１を閉塞する構成となっている。
【００２２】
以上のように構成された加熱調理器について、以下その動作、作用を説明する。
【００２３】
使用者が、加熱庫１８内に調理物（第２の被加熱物）を入れ、加熱調理を行うと、加熱庫１８内の温度が上昇する。この熱の一部は加熱庫１８全体およびロースター部１６周辺に伝達し、本体内部の温度が上昇する。冷却装置１５は送風圧を発生するので、本体内部の圧力が高まり、冷却風は、開口や通気経路があれば、これらを通って排気される。
【００２４】
ロースター部１６を使用すると同時に、トッププレート１２上の鍋（第１の被加熱物）を誘導加熱するために、加熱手段１３および出力制御部１４を作動させると、加熱手段１３および出力制御部１４の発熱も加わるために、高い冷却性能が必要となる。特に、誘導加熱を高火力で使用する場合には、ロースター部１６のみを使用する場合よりも、一層高い冷却性能が要求される。
【００２５】
しかしながら、冷却性能を確保するために、冷却風の風量を増大すると、本体内部の圧力が上昇し、本体内部と外との圧力差が増大し、本体内部の隙間に冷却風が侵入しやすくなり、また、レール開口部２１があれば外に排気しやすくなる。
【００２６】
ロースター部１６において、受け皿をスムーズに出し引きできるように加熱庫１８の外側に摺動機能を有するレール２０を設けている場合、加熱庫１８の前壁面にはレール２０を摺動するためにレール開口部２１が設けられる。冷却装置１５が作動し、送風圧を発生すると、本体内部の圧力が高まり、冷却風はレール２０部を通りレール開口部２１からも
排気される。加熱庫１８は前面に開口部１７を備えており、レール開口部２１から冷却風が排気されると、開口部１７から加熱庫１８内に流入する。冷却風が加熱庫１８内に流入すると、加熱庫１８内の温度が下がり、調理に適度な温度が保てなくなるため、所望の調理性能が得られにくくなる。
【００２７】
そこで、本実施の形態においては、連結部材２２の加熱庫１８側に、弾性体２３を設け、弾性体２３により、レール２０を引くとレール開口部２１を閉塞し、調理中に冷却風がレール開口部２１から吹き出し、加熱庫１８内に流入することを抑制する構成としたため、ロースターの加熱庫１８内が冷却風の流入によって冷やされることなく、適切な温度に保たれると同時に、上昇気流による自然な空気の流れを確保することができ、ロースターの使い勝手を向上した加熱調理器を提供できる。したがって、ロースター部１６使用時に、冷却装置１５を作動しても、レール開口部２１から冷却風が吹き出ることがないため、ロースター庫内が冷却風の流入によって冷やされることがなく、適切な温度に保つことができる。
【００２８】
（実施の形態２）
図２、図３は、本発明の第２の実施の形態における加熱調理器として、ロースター部１６のドア１９部を示している。なお、本実施の形態の基本構成は実施の形態１と同じなので、異なる点を中心に説明する。また、実施の形態１と同じ要素には同じ符号を付しその説明は省略する。
【００２９】
本実施の形態では、ロースター部１６を使用するとき、ドア１９により開口部１７を閉じていても、加熱庫１８の前壁面とドア１９に隙間ができ、本体前面から加熱庫１８内に空気が流入しうる。そこで、図２に示すようにドア１９の閉塞性を向上させるため、ドア１９の加熱庫１８の前壁面側に略コの字型で底側が開口したパッキン３１を設けた構成とした。
【００３０】
また、パッキン３１のドア１９の加熱庫１８側の面からの高さｔ４１が、弾性体２３のドア１９の加熱庫１８側の面からの高さｈ４２より高いとパッキン３１と加熱庫１８の前壁面の間に隙間が生じるため、弾性体２３のドア１９の加熱庫１８側の面からの高さｈ４２は、パッキン３１のドア１９の加熱庫１８側の面からの高さｔ４１より低い構成とした。これにより、本体前面からロースターの加熱庫１８内に空気が流入することを抑制することができ、ロースターの加熱庫１８内が冷却風、本体外側の空気の流入によって冷やされることなく、適切な温度に保たれると同時に、上昇気流による自然な空気の流れを確保することができ、ロースターの使い勝手を更に向上させることができる。
【００３１】
（実施の形態３）
図４は、本発明の第３の実施の形態における加熱調理器として、弾性体２３および連結部材２２を示している。なお、本実施の形態の基本構成は実施の形態１と同じなので、異なる点を中心に説明する。また、実施の形態１と同じ要素には同じ符号を付しその説明は省略する。
【００３２】
本実施の形態では、弾性体２３に突起部２４を、連結部材２２に穴２５を設け、突起部２４と穴２５が嵌合する構成とした。これにより、弾性体２３を連結部材２２の加熱庫１８側に設ける際、弾性体２３の位置を定めることができる。したがって、組み立て性が良くなる。
【００３３】
（実施の形態４）
図５は、本発明の第３の実施の形態における加熱調理器として、誘導加熱調理器を例示している。なお、本実施の形態の基本構成は実施の形態１と同じなので、異なる点を中心
に説明する。また、実施の形態１と同じ要素には同じ符号を付しその説明は省略する。
【００３４】
本実施の形態では、弾性体２３を加熱庫１８の前壁面に設け、弾性体により、レール開口部２１のレール２０との隙間をレール２０の出し引きにかかわらず閉塞する構成とした。冷却風がレール開口部２１から吹き出し、加熱庫１８内に流入することを抑制する構成とした。これにより、ロースター庫内が冷却風の流入によって冷やされることなく、適切な温度に保たれると同時に、上昇気流による自然な空気の流れを確保することができ、ロースターの使い勝手を向上した加熱調理器を提供できる。したがって、ロースター部１６使用時に、冷却装置１５を作動しても、レール開口部２１から冷却風が吹き出ることがないため、ロースター庫内が冷却風の流入によって冷やされることがなく、適切な温度に保つことができる。
【００３５】
（実施の形態５）
図６は、本発明の第４の実施の形態における加熱調理器として、誘導加熱調理器を例示している。なお、本実施の形態の基本構成は実施の形態１と同じなので、異なる点を中心に説明する。また、実施の形態１と同じ要素には同じ符号を付しその説明は省略する。
【００３６】
本実施の形態では、弾性体２３を、冷却装置１５に近い側だけに設けた構成とした。冷却装置１５により発生する送風圧は、冷却装置１５に近いほど高いため、レール２０において、冷却装置１５に近い側のレール開口部２１のほうが、遠い側よりも、本体内部の圧力が高いため、冷却風の排気が強くなる。そこで、冷却風の吹き出しの強い冷却装置１５に近い側のレール開口部２１だけに、弾性体２３を設けることにより、ロースターの加熱庫１８内への冷却風の入り込みを抑制する構成の簡素化を図ることができる。
【００３７】
（実施の形態６）
図７は、本発明の第５の実施の形態における加熱調理器として、誘導加熱調理器を例示している。なお、本実施の形態の基本構成は実施の形態１と同じなので、異なる点を中心に説明する。また、実施の形態１と同じ要素には同じ符号を付しその説明は省略する。
【００３８】
本実施の形態では、弾性体２３とパッキン３１とを一体にした構成の弾性体２３ａを加熱庫１８の前壁面に設けた。これにより、ロースター部１６使用時に、冷却装置１５を作動した際に、レール開口部２１から冷却風が吹き出し、加熱庫１８内へ流入することを抑制するとともに、レール２０を引きドア１９で開口部２１を閉塞する場合に、加熱庫１８の前壁面とドア１９に隙間ができることによる本体前面から加熱庫１８内への空気の流入に対しドア１９による閉塞性を向上させることを、ひとつの弾性体２３ａにより実現することができる。したがって、ひとつの弾性体２３ａにより、ロースターの加熱庫１８内が冷却風、本体外側の空気の流入によって冷やされることなく、適切な温度に保たれると同時に、上昇気流による自然な空気の流れを確保することができ、ロースターの使い勝手を更に向上させることができる。
【産業上の利用可能性】
【００３９】
以上のように、本発明にかかる加熱調理器は、ロースターの加熱庫内が冷却風の入り込みによって冷やされることなく適切な温度に保つことができるものであるので、誘導加熱調理器のみならず、ロースターに加熱庫を形成し、ロースター庫の外に摺動機能を有するレールを設けると同時に、周囲の冷却を必要とする調理機器であれば適用できる。
【図面の簡単な説明】
【００４０】
【図１】本発明の実施の形態１における加熱調理器の斜視図
【図２】本発明の実施の形態２における加熱調理器のドア部の斜視図
【図３】本発明の実施の形態２における加熱調理器のドア部の側面図
【図４】本発明の実施の形態３における加熱調理器の弾性体および連結部材の斜視図
【図５】本発明の実施の形態４における加熱調理器の斜視図
【図６】本発明の実施の形態５における加熱調理器の斜視図
【図７】本発明の実施の形態６における加熱調理器の斜視図
【符号の説明】
【００４１】
１１  外郭
１２  トッププレート
１３  加熱手段
１４  出力制御部
１５  冷却装置
１６  ロースター部
１７  開口部
１８  加熱庫
１９  ドア
２０  レール
２１  レール開口部
２２  連結部材
２３  弾性体
２３ａ  弾性体
２４  突起部
２５  穴
３１  パッキン
４１  パッキンの高さｔ
４２  弾性体の高さｈ
【図１】
2010220808.tif 000003
【図２】
2010220808.tif 000004
【図３】
2010220808.tif 000005
【図４】
2010220808.tif 000006
【図５】
2010220808.tif 000007
【図６】
2010220808.tif 000008
【図７】
2010220808.tif 000009